(57)【要約】【課題】ペットが暗い環境下で活動しても捜し易い上、ペットの安全を確保することができるペット用夜光着を提供する。【解決手段】ペット用夜光着は、装着ユニット１と、装着ユニット１に接続された少なくとも１つの発光領域２とを備える。装着ユニット１は、第１のハーネス部１１と、第２のハーネス部１２と、第１のハーネス部１１および第２のハーネス部１２にそれぞれ接続された接続部１３とを有する。発光領域２は、第１のハーネス部１１、第２のハーネス部１２および接続部１３にそれぞれ設けられる。【選択図】図１
0003153195.tif 000002
【実用新案登録請求の範囲】
【請求項１】
装着ユニットと、
前記装着ユニットに接続された少なくとも１つの発光領域と、を備えることを特徴とするペット用夜光着。
【請求項２】
前記装着ユニットは、第１のハーネス部と、第２のハーネス部と、前記第１のハーネス部および前記第２のハーネス部にそれぞれ接続された接続部と、を有し、
前記発光領域は、前記第１のハーネス部、前記第２のハーネス部および前記接続部にそれぞれ設けられることを特徴とする請求項１に記載のペット用夜光着。
【請求項３】
前記装着ユニットは衣類であり、
前記発光領域は、前記装着ユニットの外側面にそれぞれ設けられることを特徴とする請求項１に記載のペット用夜光着。
【請求項４】
前記装着ユニットは、前記発光領域がそれぞれ設けられた引紐が脱着可能なフック部が設けられた端部を有することを特徴とする請求項１に記載のペット用夜光着。
【請求項５】
前記装着ユニットは、前記発光領域がそれぞれ設けられた引紐が脱着可能なフック部が設けられた端部を有し、
前記引紐がリール装置中に設けられることを特徴とする請求項１に記載のペット用夜光着。
【請求項６】
前記発光領域は、持続性の夜光塗料が印刷されて構成されるか、持続性の夜光糸が縫製されて構成されることを特徴とする請求項１に記載のペット用夜光着。
【考案の詳細な説明】
【技術分野】
【０００１】
本考案は、ペット用夜光着に関し、特に、暗い環境下で活動しているペットが捜し易い上、ペットの安全を確保することができるペット用夜光着に関する。
【背景技術】
【０００２】
ペットを飼育することは次第に一般的になってきており、飼い主は一般にペットを世話するために様々な生活用品を購入する必要がある。例えば、ペットの体（例えば、頭部、首部、身体、足部、尾部など）にペット用衣類を着用させ、ペットの体を保温したり、ペットにお洒落をさせたりすることができる。
【０００３】
しかし、ペット用衣類は、ペットが着る以外に、他の機能を備えておらず変化に乏しかった。そのため、暗い環境下で（または視界が良好でない夜間のときに）ペットが活動する場合、ペット自身の毛色による影響を受けたり、暗色系のペット用衣類を着たりしていることにより、ペットが暗闇の中で活動するときに捜しにくくなり、それらの衣類を着たペットが屋外で活動する際、ペットの安全が確保できない虞があった。
【０００４】
そのため、ペットが暗い環境下で活動しても捜し易い上、ペットの安全を確保することができるペット用夜光着が求められていた。
【考案の概要】
【考案が解決しようとする課題】
【０００５】
本考案の目的は、ペットが暗い環境下で活動しても捜し易い上、ペットの安全を確保することができるペット用夜光着を提供することにある。
【課題を解決するための手段】
【０００６】
上記課題を解決するために、本考案の第１の形態によれば、装着ユニットと、前記装着ユニットに接続された少なくとも１つの発光領域と、を備えることを特徴とするペット用夜光着が提供される。
【０００７】
また、前記装着ユニットは、第１のハーネス部と、第２のハーネス部と、前記第１のハーネス部および前記第２のハーネス部にそれぞれ接続された接続部と、を有し、前記発光領域は、前記第１のハーネス部、前記第２のハーネス部および前記接続部にそれぞれ設けられることが好ましい。
【０００８】
また、前記装着ユニットは衣類であり、前記発光領域は、前記装着ユニットの外側面にそれぞれ設けられることが好ましい。
【０００９】
また、前記装着ユニットは、前記発光領域がそれぞれ設けられた引紐が脱着可能なフック部が設けられた端部を有することが好ましい。
【００１０】
また、前記装着ユニットは、前記発光領域がそれぞれ設けられた引紐が脱着可能なフック部が設けられた端部を有し、前記引紐がリール装置中に設けられることが好ましい。
【００１１】
また、前記発光領域は、持続性の夜光塗料が印刷されて構成されるか、持続性の夜光糸が縫製されて構成されることが好ましい。
【考案の効果】
【００１２】
本考案のペット用夜光着は、装着ユニットを利用してペットに着用させ、装着ユニットに組み合わせた発光領域を発光させ、暗い環境下でペットが活動しても、捜し易い上にペットの安全を確保することができる。
【図面の簡単な説明】
【００１３】
【図１】本考案の第１実施形態によるペット用夜光着を示す斜視図である。
【図２】本考案の第１実施形態によるペット用夜光着をペットに着用させたときの状態を示す斜視図である。
【図３】本考案の第１実施形態によるペット用夜光着を使用するときの状態を示す斜視図である。
【図４】本考案の第２実施形態によるペット用夜光着を使用するときの状態を示す斜視図である。
【考案を実施するための形態】
【００１４】
以下、本考案の実施形態について図に基づいて説明する。なお、これによって本考案が限定されるものではない。
【００１５】
（第１実施形態）
図１を参照する。図１は、本考案の第１実施形態によるペット用夜光着を示す斜視図である。図１に示すように、本考案の第１実施形態による夜光ペット用衣類は、１つの装着ユニット１と、少なくとも１つの発光領域２と、を含む。
【００１６】
装着ユニット１は、第１のハーネス部１１と、第２のハーネス部１２と、第１のハーネス部１１および第２のハーネス部１２に端部がそれぞれ接続された接続部１３と、を含む。装着ユニット１は、引紐１５が脱着可能なフック部１４が設けられた端部を有する。
【００１７】
各発光領域２は、装着ユニット１の第１のハーネス部１１と、第２のハーネス部１２と、接続部１３と、引紐１５とにそれぞれ設けられ、持続性の夜光塗料が印刷されて構成されているか、持続性の夜光糸が刺繍されて構成されている。
【００１８】
図２および図３を参照する。図２は、本考案の第１実施形態によるペット用夜光着をパットに着用させたときの状態を示す斜視図である。図３は、本考案の第１実施形態によるペット用夜光着を使用するときの状態を示す斜視図である。図２および図３に示すように、実際に猫類、犬類、兎類などのペット３にペット用夜光着を着用させる際は、ペット３の身体に第１のハーネス部１１および第２のハーネス部１２を装着させる。各発光領域２は、昼間の時間帯に日光を吸収しているため、ペット３自身が暗い環境下（または夜間の視界が悪い環境下）で活動するときに発光する。これにより、ペット３が捜し易くなる上、ペット３の安全を確保することができる。
【００１９】
飼い主がペット３を引っ張るときは、装着ユニット１のフック部１４に係合させた引紐１５を用いる。装着ユニット１および引紐１５上に発光領域２が設けられているため、ペット３を引っ張るときも、依然として安全を確保することができる。引紐１５は、単独で使用する以外に、必要に応じて引紐１５の使用長さを調整することができるように、リール装置１６中に設けられてもよい。
【００２０】
（第２実施形態）
図４を参照する。図４は、本考案の第２実施形態によるペット用夜光着を使用するときの状態を示す斜視図である。図４に示すように、本考案の第２実施形態によるペット用夜光着は、第１実施形態と異なり、装着ユニット１ａの外側面にそれぞれ発光領域２が設けられた衣類に設計されている。
【００２１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２２】
１  装着ユニット
１ａ  装着ユニット
２  発光領域
３  ペット
１１  第１のハーネス部
１２  第２のハーネス部
１３  接続部
１４  フック部
１５  引紐
１６  リール装置
【図１】
0003153195.tif 000003
【図２】
0003153195.tif 000004
【図３】
0003153195.tif 000005
【図４】
0003153195.tif 000006